(57)【要約】【目的】生ゴミの表面を傷つけて微生物が内部に侵入し易くし、生ゴミを早く確実に分解をする。【構成】かき混ぜる攪拌羽根の生ゴミと衝突する部分に、生ゴミの表面を傷つける凹凸、刃が取り付けられ、粉状の生ゴミにはこれらが固まらないように櫛状の棒が取り付けられている。【選択図】　図３
2004089979.tif 000002
【特許請求の範囲】
【請求項１】
回転することにより生ゴミをかき混ぜる生ゴミ処理機の攪拌羽根の表面に、生ゴミを傷つける凹凸が設けられていることを特徴とする生ゴミ処理機の攪拌羽根。
【請求項２】
回転することにより生ゴミをかき混ぜる生ゴミ処理機の先端の攪拌羽根の表面に、生ゴミを傷つける凹凸が設けられていることを特徴とする生ゴミ処理機の攪拌羽根。
【請求項３】
回転することにより生ゴミをかき混ぜる生ゴミ処理機の攪拌羽根の先端部に生ゴミに食い込み、引きちぎる複数の横棒が取り付けられていることを特徴とする生ゴミ処理機の攪拌羽根。
【請求項４】
回転することにより生ゴミをかき混ぜる生ゴミ処理機の攪拌羽根の先端部が、柔らかく固まった粉体の生ゴミを部分的に力を加えて固まりをほぐす複数の棒が取り付けられていることを特徴とする生ゴミ処理機の攪拌羽根。
【請求項５】
回転することとにより生ゴミをかき混ぜる生ゴミ処理機の攪拌羽根の先端部に、生ゴミの皮を傷つけるため表面に凹凸が付けられた２枚の板が、進行方向に対し先端が狭く後端が広くなるように取り付けられていることを特徴とする生ゴミ処理機の攪拌羽根。
【請求項６】
回転することにより生ゴミをかき混ぜる生ゴミ処理機の攪拌羽根の先端部に、硬い生ゴミを傷つける刃と、この両脇に先端が外側を向いた釣り針状の棒が設けられていることを特徴とする生ゴミ処理機の攪拌羽根。
【請求項７】
回転することにより生ゴミをかき混ぜる生ゴミ処理機の攪拌羽根が、生ゴミの皮を傷つけるため表面に凹凸が付けられた板と、この両脇に表面に凹凸が付けられた板が進行方向に対し略「ハの字」状に設けられた３枚の板で構成され、攪拌羽根が取り付けられる支軸との間が先端にいくに従い広くなることを特徴とする生ゴミ処理機の攪拌羽根。
【請求項８】
回転することにより生ゴミをかき混ぜる生ゴミ処理機の攪拌羽根が、２枚の板で先端方向に向かって「ハの字」状に設けられ、この２枚の板の後端部にこれを乗り越える生ゴミに傷をつける刃が取り付けられていることを特徴とする生ゴミ処理機の攪拌羽根。
【発明の詳細な説明】
【０００１】
【発明の属する技術分野】
本発明は生ゴミを減量又は消滅させる生ゴミ処理機に関する。
【０００２】
【従来の技術】
病院、ホテル、スーパーマーケット等からは毎日大量の生ゴミが出される。現在これら生ゴミは地方自治体が回収し、焼却するか埋め立てを行っている。生ゴミは大量の水分を含んでいるために燃え難く、多くの燃料を必要としているだけではなく危険なダイオキシンが発生する恐れがある。これ以上生ゴミが増えた場合焼却場を建設しなければならないが、予定地周辺の住民の反対があり、簡単には建設することは出来ない。また、山の中の低い場所や海に埋め立てを行っているが、これも何年後かに満杯となってしまう。埋め立てる場所も他に適当な場所は見つかっていない。いずれの国も同様な問題を抱えている。
【０００３】
これらの生ゴミの減量化を図るために種々の生ゴミ処理機が開発されている。この中でメインとなっているのは微生物で生ゴミを分解させる生ゴミ処理機である。処理方法として生ゴミを分解する微生物を付着させた杉チップ等の母材を予め処理槽内入れておき、ここに分解をする生ゴミを投入する。攪拌部材を回転させることにより、生ゴミと母材とを混合すると微生物による分解が始まる。好気性微生物は有機物の中の炭素を酸化して炭酸ガスを生じさせるから、処理槽内に外気を取り込む吸気口と、発生した炭酸ガスを放出する排気口とが設けられている。ある時間経過すると生ゴミは分解されるから、再び生ゴミを投入することができる。ある程度生ゴミが分解されると、悪臭はせず植物の栄養源となる堆肥として利用することができるようになる。生ゴミの９０％以上は水分であり、この残りのほとんどは有機物である。有機物を分解すると水と炭酸ガスになり、残りがミネラルである。堆肥状態の生ゴミの分解を長く続けると、理論上は生ゴミの１〜２％のミネラルしか残らないこととなる。
【０００４】
【発明が解決しようとする課題】
しかしながら現在市販されている生ゴミ処理機では、運転中に悪臭が発生したり、残渣物がヘドロ状態になって始末に困ったり、３〜６ヶ月に１回変える母材を１ヶ月で変えなければならなくなったりしている。実際の生ゴミ処理機は理論通りには動いていないのである。これらの生ゴミ処理機は、生ゴミを分解する微生物が繁殖するのに適した環境が整えられていないのである。
【０００５】
【課題を達成するための手段】
本発明は前記課題を達成するためになされたものであって、生ゴミを従来の生ゴミ処理機よりも小型ではるかに短期間に軽量化することのできる生ゴミ処理機を提供することを目的としている。
【０００６】
その１として、回転することにより生ゴミをかき混ぜる生ゴミ処理機の攪拌羽根の表面に、生ゴミを傷つける凹凸が設けられていることとし、
その２として、回転することにより生ゴミをかき混ぜる生ゴミ処理機の先端攪拌羽根の表面に、生ゴミを傷つける凹凸が設けられていることとし、
その３として、回転することにより生ゴミをかき混ぜる生ゴミ処理機の攪拌羽根の先端部に生ゴミに食い込み、引きちぎる複数の横棒が取り付けられていることとし、
その４として、回転することにより生ゴミをかき混ぜる生ゴミ処理機の攪拌羽根の先端部が、柔らかく固まった粉体の生ゴミを部分的に力を加えて固まりをほぐす複数の棒が取り付けられていることとし、
その５として、回転することとにより生ゴミをかき混ぜる生ゴミ処理機の攪拌羽根の先端部に、生ゴミの皮を傷つけるため表面に凹凸が付けられた２枚の板が、進行方向に対し先端が狭く後端が広くなるように取り付けられていることとし、
その６として、回転することにより生ゴミをかき混ぜる生ゴミ処理機の攪拌羽根の先端部に、硬い生ゴミを傷つける刃と、この両脇に先端が外側を向いた釣り針状の棒が設けられていることとし、
その７として、回転することにより生ゴミをかき混ぜる生ゴミ処理機の攪拌羽根が、生ゴミの皮を傷つけるため表面に凹凸が付けられた板の両脇に、表面に凹凸が付けられた板が進行方向に対し略「ハの字」状に設けられ、攪拌羽根が取り付けられる支軸との間が先端にいくに従い広くなることとし、
その８として回転をすることにより生ゴミをかき混ぜる生ゴミ処理機の攪拌羽根が、２枚の板で先端方向に向かって「ハの字」状に設けられ、この２枚の刃の後端部にこれを乗り越える生ゴミに傷つけることとしている。
【０００７】
【作用】
微生物は生ゴミ等の水分を含む有機物があると、ここで繁殖し生ゴミの分解を始める。ここに酸素があると好気性微生物が、酸素が無いと嫌気性微生物が繁殖する。好気性微生物の方が分解速度は速いので、生ゴミ処理機では好気性微生物を利用しているのがほとんどである。生ゴミが投入されたポリバケツは、冬よりも夏の方が早く悪臭を発生するようになるが、冷蔵庫内の低温の場所では中々腐らない。つまり温度の高い方が微生物の働きが活発となる。スルメよりも生イカの方が、乾燥野菜よりも生鮮野菜の方が腐りやすい。このようなことから、微生物は乾燥しているものよりも、水分を多く含んでいるものの方が微生物は活発に活動することが分かる。
【０００８】
温度が高い方が微生物の働きが活発になるからといって余り温度を高くすると、生ゴミに含まれている水分が早く蒸発したり湯気となって放出され、生ゴミの表面が乾燥して微生物がこの部分を分解することができなくなる。水分が多い方が微生物が活発に働くからといって、処理槽内の湿度が８０％以上であると生ゴミに９０％以上含まれている水分と、有機物を分解した時に発生する水分が蒸発したり湯気となって放出できず、処理槽内に残り生ゴミがベトベトした残渣物となってしまう。更に生ゴミ中に水分が余っていると、ここに酸素が中々溶け込まず好気性微生物が生息することができず、嫌気性微生物が繁殖して悪臭を発生させ、生ゴミの分解が遅くなる。
【０００９】
処理槽内に繁殖する好気性微生物が酸素を消費するから、これを補うために外気を送る必要がある。人間は大気中にほぼ２０％含まれている酸素を利用しており、酸素がこれ以上でもこれ以下でも体の調子は悪くなる。好気性微生物も同様である。しかし、処理槽内は狭いので好気性微生物が放出する炭酸ガス、水蒸気やアンモニアですぐに充満されてしまい、バランスが崩れやすい。このために処理槽内の換気を行うが、ここに送り込む風量が少ないと炭酸ガス等が中々除去されず、風量が余りに多いと処理槽内の生ゴミが乾燥してしまうこととなる。
【００１０】
処理槽内には攪拌装置が備えてあり、これが生ゴミを攪拌する。攪拌する目的の一つとして生ゴミの中に酸素を供給することと、生ゴミ中に発生している水分とアンモニア等を放出させることである。酸素を供給するためには攪拌装置の回転速度を早くすればよいが、余り早いとアンモニア等が蒸発されず好気性微生物が繁殖することができない。
【００１１】
処理槽内の空間には、好気性微生物の活動により炭酸ガス、水蒸気やアンモニアガス等が放出されている。これが処理槽内の温度よりも低い温度の外気が取り込まれると凝縮して、再び生ゴミ中に取り込まれてしまう。しかし、処理槽に取り込む温度が高すぎると生ゴミが乾燥してしまう。
【００１２】
以上の記載からも明らかなように、生ゴミを分解するのは簡単ではなく好気性微生物が生ゴミを分解するのに充分な環境を整えなければならず、温度、湿度、攪拌装置の回転速度、外気の取り込み量、この温度等が絡み合い、あるバランスが保てないと所期の目的を達成することはできない。
【００１３】
【発明の実施の形態】
以下、本発明を図面に示されている実施例に基づき詳細に説明をする。図１には本発明の一実施例である生ゴミ処理機１の構成が示されている。処理槽３は円筒状のドラムを横に寝かせた状態に設置されている。この処理槽３には生ゴミを投入する時には開き、処理中は口を閉めておくホッパー１３が取り付けられている。処理槽３内には生ゴミを攪拌する攪拌装置１５が設けられおり、運転中の処理槽３内を点検することができるように窓４が取り付けられている。処理槽３には生ゴミの温度を上げるヒーター（図示せず）が備えられ、この底部にはここの温度を計測するセンサー１０が取り付けられ、センサー１０は温度制御部１２に接続されている。
【００１４】
この生ゴミ処理装置１は好気性微生物を利用して生ゴミを分解させる装置であり、処理槽３に外部の空気を取り入れる吸気装置５と処理槽３内の空気を外部に吐き出す排気装置としてシロッコファン２７等が備えられている。吸気装置５にはここを通過する空気を温めるためのヒーター（図示せず）が備えられ、吸気装置５から取り入れた空気を処理槽３に送り込むパイプ１７の途中には、ここを通過する空気の温度を計るセンサー６が取り付けられ、センサー６はここを通過する空気の温度をコントロールする温度制御部８に接続されている。
【００１５】
処理槽３内の空気を排気する排気装置は、空気に圧力を加えるシロッコファン２７、脱臭カラム２５ａ、２５ｂから構成されている。処理槽３とシロッコファン２７とは、パイプ１９とで接続されている。パイプ１９の途中には湿度センサー５０が取り付けられ、この湿度センサー５０は湿度制御部５１に接続されている。シロッコファン２７と脱臭カラム２５ａ等とはパイプ２３で接続されている。
【００１６】
処理槽３内で投入された生ゴミをかき混ぜる攪拌装置１５は、図２に示されているように円筒状の処理槽３の軸中心に支持され外部モーター（図示せず）を駆動源として回転する駆動軸２９と、この駆動軸２９から３本の支軸３３が放射状に設けられ、各支軸３３には攪拌羽根３５が２枚取り付けられている。
【００１７】
以上のように構成された生ゴミ処理機１の動作について詳細に説明をする。この生ゴミ装置１の電源（図示せず）をオンにすると、吸気装置５からヒーターにより温められた外気が処理槽３内に取り込まれ、処理槽３内の空気はシロッコファン２７、脱臭カラム２５ａ、２５ｂを通過して外部に放出される。これと同時に処理槽３内の攪拌装置１５が回転を始める。ここで杉チップと生ゴミをホッパー１３から処理槽３に投入する。攪拌装置１５が回転をしているから、これと同時に回転をしている攪拌羽根３５が生ゴミと杉チップとをかき混ぜる。攪拌羽根３５が生ゴミと衝突すると、生ゴミの表面は傷つけられここから水分が出ると共に、ここに生ゴミを分解する微生物が着き、分解を始める。生ゴミを分解する微生物を予め杉チップに付着させておいても良いが、本実施例では、生ゴミに自然に付着している微生物を利用している。攪拌羽根３５と衝突して傷つけられ、微生物が分解を始めると処理槽３内には生ゴミから多くの水が放出される。杉チップには数多くの微小な孔があり、処理槽３内に放出された生ゴミから放出された水は、ある程度杉チップに吸収される。杉チップがないと生ゴミから放出された水によりベタベタとなり、酸素が供給されずに嫌気性微生物が繁殖し、悪臭が発生することとなる。
【００１８】
処理槽３内はヒーターにより温められているから、微生物は活発に働く。この時の処理槽３内の温度は、４６℃〜５２℃の間に保たれている。処理槽３の底部に取り付けられている温度センサー１０の情報により、温度制御部１２がヒーターの電源をオン・オフすることで行っている。処理槽３内の温度を４６℃から５２℃の範囲と定めたのは、微生物の働きを活発にするには温度は高い方が良いが、余り高くすると、生ゴミ中の水分が蒸発や湯気となって放出され、乾燥して微生物が分解をすることが出来なくなるからである。生ゴミの中に肉が多い場合には、温度を４６℃から５２℃に保つと、窒素がアンモニアとして蒸発する。生ゴミ中にアンモニアが存在すると微生物が繁殖するのを妨げる働きがあり、これを早期に蒸発させると微生物の働きが活発となり、生ゴミの分解が早く終了することとなる。
【００１９】
処理槽３内の湿度は６６％〜７０％の間に保たれている。処理槽３内の湿度が低いと生ゴミが乾燥し微生物が分解し難くなり、湿度が高いと生ゴミに含まれている水分及び有機物が分解されて生じる水が除去されず、嫌気性微生物が繁殖して悪臭が発生する。湿度センサー５０は、処理槽３から空気をシロッコファン２７に導くパイプ１９の途中に取り付けられている。湿度センサー５０により湿度制御部５１が判断し、湿度が高い場合は処理槽３に外気を送るパイプ１９に取り付けられているダンパー５２を広く開放することとし、反対に湿度が低い場合にはダンパー５２を狭くすることとしている。
【００２０】
処理槽３内に備えられている生ゴミを掻き混ぜる攪拌装置の役割は、その１として生ゴミに攪拌羽根３５を衝突及びこすらせて生ゴミの表面を傷つけて、ここに微生物を付着させて分解を早めること、その２として生ゴミを粉砕して細かくして分解を早めること、その３として生ゴミ中に好気性微生物が消費する酸素を補うこと、その４として生ゴミの分解により生じた水蒸気、炭酸ガス、アンモニア等を生ゴミから早期に放出させることである。１〜３までの項目では攪拌装置１５は早く回転をさせた方が効率は良い。しかしながら、攪拌装置１５を早く回転をさせると、分解中に発生する水蒸気、炭酸ガス、アンモニア等が生ゴミから放出されず、水分の多い生ゴミとなったり、炭酸ガス等のガスが生ゴミ中に存在するために不足する酸素が補えなくなったり、アンモニアがあるために微生物が繁殖し難くなる。このようなことを考慮した結果、攪拌装置の回転は７．２から１２．２ｒｐｍの範囲としたのである。
【００２１】
処理槽３は前記したようにヒーターで４６℃〜５２℃の範囲に温められている。処理槽３内の空間部分は微生物の分解により生じた炭酸ガス、水蒸気、アンモニアが放出されている。これら炭酸ガス等は処理槽３から外部に除去しなければならない。吸気装置５から送られてくる温度が処理槽３内の温度よりも低いと、水蒸気やアンモニア等が凝縮し、再び生ゴミの中に戻ってしまう。そこで吸気装置５から処理槽３に外気を送るパイプ１７に温度センサー６を取り付けて温度を検知し、この温度が５５．５℃〜５８℃の範囲に保つよう吸気装置５に設けたヒーター（図示せず）のオン・オフを行う温度制御部８を設けたのである。
【００２２】
処理槽３内の空間には炭酸ガスや水蒸気、アンモニアが生ゴミの分解により生じる。これらが長い間処理槽３の空間に留まっていては、微生物が生ゴミを分解する妨げとなる。これらアンモニア等は、パイプ１９を介して直列接続された脱臭カラム２５ａ、２５ｂに送られ、排気に残留する微量の気化臭気成分を除去する。処理槽３から脱臭カラム２５ａ、２５ｂへの排気は、シロッコファン２７によって行われる。脱臭は直列に接続された脱臭カラム２５ａ、２５ｂの２段階で行っており、ほとんど臭いの問題は解消される。
【００２３】
図２には処理槽３内の攪拌装置１５が示されている。支持軸３３及び攪拌羽根３５の数は、生ゴミの処理量によって定まる。生ゴミの処理量が多ければ支持軸３３及び攪拌羽根３５の数は多くなり、反対に処理量が少なければこの数を少なくしても処理が可能となる。
【００２４】
生ゴミの種類はここで例示できないほど種々雑多である。オカラのように水分を多く含んだ粉状のものや、鰹の頭のように大きく割合しっかり形状が残っている物もある。実験中に気付いたことだが、例えばしっかりしたジャガイモやニンジンが生ゴミ中に含まれていると、処理槽３で処理を行ってもそのまま残ってしまうことがある。観察すると処理槽３内の攪拌装置１５が回転をしても、攪拌羽根３５により、ジャガイモやニンジンは押し潰されることはない。また、攪拌羽根３５を刃物のように切れるものにしても、ジャガイモやニンジンを切ることは非常に稀にしか起きないことが分かったのである。ジャガイモやニンジンを押し潰すには、これらを板の上に置いて逃げ場を無くし、これらの上から力を加えるから潰されるのである。攪拌装置３の攪拌羽根３５はジャガイモやニンジンに力を加えるが、処理槽３内には逃げ場を無くす板に相当するものはなく、単に押しているだけの作用しか働かないのである。ジャガイモやニンジンを切る場合、これらをまな板の上に置いて固定して逃げ場をなくすから、刃物でこれらを切ることができるのである。処理槽３内にはまな板のようにジャガイモやニンジンを固定するものは無く、刃物となっている攪拌羽根３５と当たった位では、切れずに単に押されて逃げてしまう。完全な形のジャガイモやニンジンは、丈夫な皮が保護膜となっており、ここに微生物が付着した程度では分解は開始されないのである。これらの理由で完全に形のジャガイモやニンジンは、処理を行ってもそのままの形で残ることがあるのである。
【００２５】
ところが皮が傷ついているジャガイモやニンジンは、処理を行えば跡形もなくなるのである。傷があればここに微生物が付着して分解を始める。分解が始まれば水分が流出して生ゴミの組織は非常に弱くなる。皮の表は保護膜となっているからここに微生物が付着しても中々分解するようなことはないが、傷ついた皮の部分は保護膜としての機能は失われてしまう。傷ついた部分から浸入した微生物が分解をすると、生ゴミの内部組織は弱くなってぐずぐずになり、攪拌する攪拌羽根３５で押されれば、その形態を留めることができない程弱くなるのである。重要なことは生ゴミを刃物のようなもので切って細かくすることではなく、生ゴミの表面を傷つけて微生物が付着し易いようにすることである。後は微生物が生ゴミの中に浸入して、組織が脆弱となりより分解が進むこととなる。ジャガイモやニンジンを例に説明をしたが、動物性の生ゴミも同様である。魚は鱗と皮膚が保護膜としてあるが、これを傷つければ微生物が内部に侵入して分解を容易にする。
【００２６】
生ゴミの種類は種々雑多であり、現場、現場によって異なる。前記したジャガイモやニンジンのような形状のあるものもあれば、オカラ、コーヒーの絞り粕のような粉体もある。粉体の生ゴミは傷つけるような攪拌羽根３５は必要ない。このようなことから、この生ゴミ処理機の処理槽３内の攪拌装置１５に使用する攪拌羽根３５は処理する生ゴミの種類に応じて変化させることとし、図３〜図１０に示されているような形状としている。
【００２７】
図３には、支軸３３に取り付けられている先端の攪拌羽根３５の角度が４５度で、その表面には凹凸が設けられている。この攪拌羽根は３５野菜等の切り屑を処理するのに適している。前記したように野菜には皮がありこれが保護膜となって中々分解し難い。このような野菜屑が、攪拌羽根３５に当たると４５度の角度に分けられながら通過する。攪拌羽根３５の表面には凹凸があるから、４５度に分けられ通過するときにこの表面を擦り、野菜屑には傷が付けられる。後は微生物が容易に分解することができることとなる。この図では駆動軸２９に３本放射状に支軸３３に取り付けられているが、この本数は２本、４本等に変えることはできる。
【００２８】
図４には駆動軸２９に取り付けられた支軸３３に３枚の板７０が、１２０度の角度で放射状に設けられ、駆動軸２９に対し直角に設けられている攪拌羽根の先端部には櫛状の歯７１が取り付けられている。この攪拌羽根７５は食パン等の柔らかい固形物の生ゴミの処理に適している。形状を残している食パンはパンの屑よりも重いから、処理槽３の底辺部に偏在する。底辺部にある食パンはこの攪拌羽根７５が回転をすると、先端部の櫛状の歯７１に衝突する。底辺部にある食パンは、単独でそこにあるのではなく多くの生ゴミの中にあるから、櫛状の歯７１に当たるとこれが食い込み、引きちぎる事となる。駆動軸２９が回転し櫛状の歯７１が当たるたびにこれが繰り返されるから、食パンはパン屑に機械的に分解される事となる。パン屑は表面積が広くなり、微生物が付着してこれを更に分解することとなる。
【００２８】
図５には４本の棒で構成された攪拌羽根５０が示されている。中の２本は平行で、後の２本４２は３０度位外側に向いている。この攪拌羽根５０はオカラやコーヒーの絞り粕等の粉状の生ゴミを処理するのに適している。水分を多く含む粉状の生ゴミは処理中に乾燥してくると、固まる傾向がある。固まっては微生物の分解が促進されないので、固まらないようにほぐす必要が生じる。平らな板で全体を押したのではほぐすことはできないが、棒で部分的に力を加えればほぐすことが可能となる。
【００２９】
図６には中に刃５７、この両側に先端を外側に向けた釣り針形状５６の攪拌羽根５３の正面図が、図７にはこの横面図が示されている。この攪拌羽根５３は魚の頭等の割合と硬い生ゴミの処理に適している。元の形に近い魚の頭等は重く、処理槽３の底近くに偏在している。ここで攪拌羽根５３が回転をすると最初に刃に当たる。刃５７に当たっても切断をすることはできないが、魚の頭等を傷つけることはできる。傷つけられた魚の頭が今度は釣り針形状の攪拌羽根５６に衝突しここでも傷つけられる。これが何回も繰り返されると微生物の働きにより分解されて、魚の頭の組織が脆くなってくる。脆くなった魚の頭が刃５７に衝突すると、部分的に力が加わるから骨等が折れることとなる。牛や豚の骨は短期間で元の形が分からないように処理することは難しいが、魚の頭等は元の形がわからなくなるまで処理するにこの攪拌羽根５７で行うことができる。
【００３０】
図８には凹凸が付けられている板７０の両側に、図面奥側に向かって角度が付けられている凹凸が付けられている２枚の板６０が設けられ、図８で示されているように攪拌羽根５９がお辞儀するような形で支軸３３の先端に取り付けられた攪拌羽根５９が示されており、図９にはこの横面図が示されている。この攪拌羽根５９は野菜、特に細かいモヤシなどの処理に適している。この攪拌羽根５９には角度が付けられているから、処理槽３内の底にある生ゴミがこれに当たると、生ゴミが持ち上げられながら移動させられる。この時凹凸が設けられている攪拌羽根７０表面を擦るから、これにより生ゴミは傷つけられる。攪拌羽根７０に当たって横に逃げる生ゴミは、両側に設けられている板６０に斜めに当たり、この表面の凹凸により傷つけられる。傷つけられた生ゴミは前記の通り微生物が分解することとなる。
【００３１】
図１０には略矢印状の攪拌羽根８０が示されている。この攪拌羽根８０が回転をするとこれが生ゴミの中を潜り、生ゴミがこの攪拌羽根８０を乗り越えることとなる。攪拌羽根８０の後端は刃となっているから、生ゴミがこれを乗り越えるときに傷つけられる。傷つけられた生ゴミは微生物が容易に分解することとなる。
【００３１】
生ゴミがオカラのみの場合は、図５で示される４本の棒５２で構成される攪拌羽根５２を支軸３３に取り付ければよい。しかし、生ゴミが多種になる場合には、その比率により図３〜図１０に示されている攪拌羽根を適宜選択し取り付ければ、生ゴミを短時間に少量化することができる。
【発明の効果】
本発明は、攪拌羽根を実施例に示されるように構成することにより、生ゴミの表面を早く、かつ確実に傷つけることができる。ここに微生物が付着し分解を始めるので、生ゴミを短時間に少量化することが確実に行うことができる。オカラのような粉状の生ゴミは処理の途中で固まらないから、均一に分解を促進し短時間に処理を行うことができる。
【図面の簡単な説明】
【図１】・・　生ゴミ処理機のブロック図
【図２】・・　生ゴミ処理機の処理槽内を示した図
【図３】・・　支軸に取り付けられた攪拌羽根を示した図
【図４】・・　支軸に取り付けられた図３とは別の攪拌羽根を示した図
【図５〜図１０】・・異なった形状の攪拌羽根を示した図
【符号の説明】
１・・生ゴミ処理機　　３・・処理槽　　１５・・攪拌装置　２９・・駆動軸３３・・支軸　　３５、４０、５３、５９、８０・・攪拌羽根
【図１】
2004089979.tif 000003
【図２】
2004089979.tif 000004
【図３】
2004089979.tif 000005
【図４】
2004089979.tif 000006
【図５】
2004089979.tif 000007
【図６】
2004089979.tif 000008
【図７】
2004089979.tif 000009
【図８】
2004089979.tif 000010
【図９】
2004089979.tif 000011
【図１０】
2004089979.tif 000012
【手続補正書】
【提出日】平成14年12月10日(2002.12.10)
【手続補正２】
【補正対象書類名】明細書
【補正対象項目名】図面の簡単な説明
【補正方法】変更
【補正の内容】
【図面の簡単な説明】
【図１】・・生ゴミ処理機のブロック図
【図２】・・生ゴミ処理機の処理槽内を示した図
【図３】・・支軸に取り付けられた攪拌羽根を示した図
【図４】・・支軸に取り付けられた図３とは別の攪拌羽根を示した図
【図５】・・粉状の生ゴミを処理する攪拌羽根を示した図
【図６】・・硬い生ゴミを処理する攪拌羽根を示した図
【図７】・・図６に示された攪拌羽根の側面図
【図８】・・モヤシ等の野菜を処理する攪拌羽根を示した図
【図９】・・図８に示された攪拌羽根の斜視図
【図１０】・・矢印状に形成された攪拌羽根を示した図
【符号の説明】
１・・生ゴミ処理機　３・・処理槽　　１５・・攪拌装置　　２９・・駆動軸
３３・・支軸　　３５、４０、５３、５９、８０・・攪拌羽根